(57)【要約】【課題】縦方向に延びる縦部材が邪魔にならず、また、キッチンに備え付けられている棚とキッチンの調理台との間に容易に取り外しをすることができるラックを提供すること。【解決手段】調理台１２１と棚１２２との間に置かれるラック１００であって、棚１２２の底板１２４に引っ掛けることができるフック１０１を一端に有し棚１２２の前面から背面の方向に延びる横部材１０２と、横部材１０２の他端から鉛直方向に延び下端部１０３ａが調理台１２１にまで達する縦部材１０３と、縦部材１０３の所定位置から前方に突出するアーム部材１０４と、を有する一対の側方部材１０５と、一対のアーム部材１０４の上に置かれる板材１０６と、を備えることを特徴とするラック１００を提供する。【選択図】図５
2004049516.tif 000002
【特許請求の範囲】
【請求項１】
調理台と前記調理台の上方に位置する棚との間に置かれるラックであって、
前記棚の底板に引っ掛けることができるフックを一端に有し前記棚の前面から背面の方向に延びる横部材と、前記横部材の他端から鉛直方向に延び下端部が前記調理台にまで達する縦部材と、前記縦部材の所定位置から前方に突出するアーム部材と、を有する一対の側方部材と、
一対の前記アーム部材の上に置かれる板材と、を備えることを特徴とするラック。
【請求項２】
前記フックは、縦断面がコの字状に形成されていることを特徴とする請求項１に記載のラック。
【請求項３】
前記縦部材は、前記横部材又は前記アーム部材の内、少なくとも何れか一つは、伸縮自在にされていることを特徴とする請求項１又は２に記載のラック。
【請求項４】
前記板材は、伸縮自在にされていることを特徴とする請求項１乃至３の何れか一項に記載のラック。
【請求項５】
前記アーム部材を用いる代わりに、前記板材が前記縦部材に直接取付けられていることを特徴とする請求項１乃至４の何れか一項に記載のラック。
【発明の詳細な説明】
【０００１】
【発明の属する技術分野】
本発明は、ラックに関する。特に、調理台とこの調理台の上方に位置する棚との間に置かれるラックに関する。
【０００２】
【従来の技術】
調理台とこの調理台の上方に位置する棚との間に置かれるラックとしては、例えば、実開平６−３１３９号及び実開平６−６２８４０号に記載された考案がある。
【０００３】
実開平６−３１３９号に記載された考案は、キッチンに備え付けられている棚とキッチンの調理台との間に四つの縦桟を挟み込み、この縦桟に棚を架け渡すように形成されている。
【０００４】
また、実開平６−６２８４０号に記載された考案は、壁に取付けられた一対の基部に横方向にバーを複数設け、このバーに板材等を引っ掛けるように形成されている。
【０００５】
【発明が解決しようとする課題】
しかしながら、実開平６−３１３９号に記載された考案のように、四つの縦桟を用いたのでは、この縦桟同士の間の間隔以上に大きなものを載せる場合には、この縦桟が邪魔となり、不便であった。
【０００６】
また、実開平６−６２８４０号に記載された考案のように、壁に取付けるようにすると、容易に取り外しをすることができずに不便であった。
【０００７】
そこで、本発明は、縦方向に延びる縦部材が邪魔にならず、また、キッチンに備え付けられている棚とキッチンの調理台との間に容易に取り外しをすることができるラックを提供することを目的とする。
【０００８】
【課題を解決するための手段】
以上の課題を解決するため、本発明は、調理台と前記調理台の上方に位置する棚との間に置かれるラックであって、前記棚の底板に引っ掛けることができるフックを一端に有し前記棚の前面から背面の方向に延びる横部材と、前記横部材の他端から鉛直方向に延び下端部が前記調理台にまで達する縦部材と、前記縦部材の所定位置から前方に突出するアーム部材と、を有する一対の側方部材と、一対の前記アーム部材の上に置かれる板材と、を備えることを特徴とするラックを提供する。
【０００９】
本発明に係るラックは、調理台とこの調理台の上方に位置する棚との間に置かれるラックである。
【００１０】
横部材の一端に設けられているフックは、調理台の上方に位置する棚の底板に引っ掛けることができるものであればどのようなものであってもよいが、例えば、横断面がコの字状になるように形成することにより、底板を挟み込み、底板に引っ掛けることができるようになる。
【００１１】
また、このように縦断面がコの字状に形成されているフックには、相対向している面の少なくとも何れかに一方に、ストッパーを設けておくことにより、引っ掛けたフックが容易に外れてしまうことを防止することができ、また、底板とフックとの間の隙間を埋めるスペーサーとしても機能させることができる。
【００１２】
このようなストッパーとしては、例えば、コの字状に形成されているフックの相対向している面の何れか一方に弾性部材からなる突起を設けておくことなどがある。
【００１３】
一端にフックを有する横部材は、調理台の上方に位置している棚の前面から背面の方向に向かって設けられており、横部材の他端には、縦部材が鉛直方向、即ち、調理台の方向に向かって設けられている。
【００１４】
この横部材については、伸縮自在にしておくことで、調理台の上方に位置している棚の奥行きに合わせて、この横部材の長さを変えることができるようになる。
【００１５】
調理台の方向に向かうように設けられている縦部材の下端部は、調理台にまで達するように設けられている。
【００１６】
縦部材の下端部が、調理台にまで達するように設けられていることで、本願発明に係るラックに調理道具等を乗せても、このラックが倒れてしまうことがなくなる。
【００１７】
従って、縦部材の長さについては、調理台とこの調理台の上方に位置する棚との間の長さと同じになるように形成する必要があるが、この縦部材につき伸縮自在にしておくことで、調理台とこの調理台との間の長さに合わせてこの縦部材の長さを変えることができる。
【００１８】
縦部材のどの位置を伸縮自在にするかは、横部材とアーム部材との間又はアーム部材と縦部材の下端部との間の何れか一方又は両方を適時選択することができる。
【００１９】
縦部材には、所定の位置において前方に突出するアーム部材が設けられており、フックと、横部材と、縦部材と、アーム部材と、を有する側方部材を一対用いることで一対となるアーム部材の上に板材をのせることで、この板材の上に、電子レンジ、オーブントースター、鍋、皿、包丁等の調理用機械器具をのせることができるようになる。
【００２０】
なお、アーム部材を伸縮自在にしておくことで、幅の異なる板材を用いることが可能となり、また、一対のアーム部材の間に横架材を設けておくこともできる。
【００２１】
また、アーム部材は、一つの側方部材に複数設けることもでき、この場合には、一対のアーム部材に板材をのせることができるように、一対のアーム部材の設けられている位置が一対の側方部材で同じになるようにしておく必要がある。
【００２２】
一対のアーム部材の間に渡される板材を伸縮自在にしておくことで、板材を渡すアーム部材の幅、即ち、側方部材の幅を変えることができるようになる。
【００２３】
以上のようなアーム部材の上に板材をのせる代わりに、板材を縦部材に直接取付けてもよい。
【００２４】
また、縦部材に対して、アーム部材又は板材を回動自在に取付けることにより、このアーム部材又は板材を縦部材の方向に折り畳むことができるようになる。
【００２５】
【発明の実施の形態】
図１は、本発明の第一の実施形態に係るラック１００の上方斜視図である。
【００２６】
ラック１００は、フック１０１、横部材１０２、縦部材１０３及びアーム部材１０４からなる側方部材１０５の二つを一組として用い、これら側方部材１０５の一対のアーム部材１０４に板材１０６をのせることにより構成されている。
【００２７】
フック１０１は、コの字状に形成されており、図５に表されているように、棚１２２の底板１２４を挟み込むようにしてこの底板１２４に引っ掛けることができるようにされている。
【００２８】
従って、コの字状に形成されているフック１０１の間の間隔は、このフック１０１の間に挟み込む底板１２４の厚さに合わせて形成する必要がある。
【００２９】
なお、このフック１０１については、図２に表されているように、ストッパーとして、弾性部材による突起１０８を設けておくことにより、底板１２４から容易に外れてしまうことを防止することができ、また、底板１２４の厚さを問わずに取付けることができるようになる。
【００３０】
また、図２に表されているように、突起１０８の代わりにネジ１０９により、底板１２４とフック１０１との間の隙間を埋めるようにすることも可能である。
【００３１】
横部材１０２の一端には、このようなフック１０１が設けられており、他端には鉛直方向下方、即ち、調理台１２１の方向に縦部材１０３が設けられている。
【００３２】
本実施形態においては、横部材１０２と縦部材１０３とを連続して形成したが、これらを別々に形成して、ネジ止めや接着剤等で接合して形成してもよい。
【００３３】
縦部材１０３には、前方に突出するようにアーム部材１０４が形成されている。
【００３４】
アーム部材１０４を縦部材１０３のどの位置に設けるかは、このアーム部材１０４の上にのせる板材１０６に何をのせるかにより、適時選択することができる。
【００３５】
アーム部材１０４は、縦部材１０３からほぼ垂直に前方に突出しており、このアーム部材１０４の上に板材１０６をのせることができるようにされている。
【００３６】
板材１０６については、アーム部材１０４の上にのせるだけでもよいが、ネジ止めや接着剤等により固定してもよい。
【００３７】
なお、本実施形態では、一つの側方部材１０５に一つのアーム部材１０４を設けたが、一つの側方部材１０５に複数のアーム部材１０４を設けることもできる。
【００３８】
ここで、横部材１０２の長さＸは、このラック１００を取付ける棚１２２の奥行きに合わせて適時選択することができるが、図３に表されているように、横部材１０２を第一の部材１１０と第二の部材１１１とにより形成し、第二の部材１１１を第一の部材１１０の中に挿入することができるようにし、第一の部材１１０に開けられた貫通孔１１２からネジ１１３を差し込み、第二の部材１１１を固定することができるようにすることで、横部材１０２の長さを伸縮自在にすることができ、棚１２２の奥行きに合わせて、横部材１０２の長さを調節することができるようになる。
【００３９】
縦部材１０３の長さＹについても、棚１２２と調理台１２１との間の間隔に合わせて形成する必要があるが、横部材１０２同様に図３に表されている伸縮構造１１４を採用することにより、棚１２２と調理台１２１との間の間隔に合わせて、縦部材１０３の長さＹを調節することができる。
【００４０】
また、アーム部材１０４の長さＺについても板材１０６の縦幅に合わせて形成する必要があるが、図３に表されている伸縮構造１１４を採用することにより、板材１０６の縦幅に合わせてアーム部材１０４の長さＺを調節することができる。
【００４１】
なお、横部材１０２、縦部材１０３及びアーム部材１０４のどの位置に伸縮構造１１４を採用するかは、適時選択することができる設計事項である。
【００４２】
この点、縦部材１０３では、横部材１０２とアーム部材１０４との間に伸縮構造１１４を設けることで、アーム部材１０４にのせられた板材１０６にのせる物の大きさに合わせて、横部材１０２とアーム部材１０４との間の間隔Ｃを変えることができるようになり、一方、アーム部材１０４と縦部材１０３の下端部１０３ａとの間に伸縮構造１１４を設けることで、調理台１２１とアーム部材１０４との間に置く物の大きさにより、アーム部材１０４の高さＤを変えることができるようになるため、伸縮構造１１４は、横部材１０２とアーム部材１０４との間及びアーム部材１０４と縦部材１０３の下端部１０３ａとの間の両方に設けることが望ましい。
【００４３】
板材１０６は、一対のアーム部材１０４にのせられる関係上、アーム部材１０４同士の間隔Ａよりも板材１０６の横幅Ｂの方が大きくなるように形成する必要がある。
【００４４】
この点、図４に表されているように、板材１０６を第一の板材１１５と第二の板材１１６により構成し、第二の板材１１６を第一の板材１１５の中に挿入することができるように、第一の板材に孔１１７を設けておくことで、板材１０６の横幅Ｂを変えることができるようになる。
【００４５】
なお、このようにアーム部材１０４には、板材１０６をのせる関係上、一対の側方部材１０５で、アーム部材１０４の高さＤを揃えておく必要がある。
【００４６】
この点、上述した伸縮構造１１４を、アーム部材１０４と縦部材１０３の下端部１０３ａとの間に設けておくことで、一対のアーム部材１０４の高さＤを容易に揃えることができ、また、例えば、調理台１２１に段差がついていたとしてもアーム部材１０４の高さＤを変えることで、一対のアーム部材１０４にのせられる板材１０６を水平に保つことができるようになる。
【００４７】
以上のように構成されるラック１００は、図５に表されているように使用される。
【００４８】
キッチン１２０の調理台１２１の上方にある棚１２２の扉１２３を開けて底板１２４にフック１０１を引っ掛けて、横部材１０２が棚１２２の底板１２４の下面に沿って、棚１２２の前面から背面の方向に、即ち、図５のＥの方向に向かうようにする。
【００４９】
ここで、縦部材１０３は、横部材１０２の一端から鉛直方向下方に延びるように設けられているが、ラック１００に物をのせた場合に安定させるため、壁１２５に接触させておく方が望ましい。
【００５０】
縦部材１０３の下端部１０３ａは、調理台１２１に接触させる。
【００５１】
縦部材１０３から前方に突出しているアーム部材１０４の上に板材１０６をのせる。
【００５２】
このようにして組み立てることにより、この板材１０６の上に電子レンジ等の調理機械器具をのせることができるようになる。
【００５３】
図６は、本発明の第二の実施形態に係るラック２００の上方斜視図である。
【００５４】
第二の実施形態に係るラック２００は、第一の実施形態に係るラック１００と比べて、一対のアーム部材２０４同士を連結する横架材２２６が設けられており、また、縦部材２０３が第一の縦部材２２７と第二の縦部材２２８とに分割されている点で異なるだけで、他の点は、第一の実施形態に係るラック１００と同様の構成を有している。
【００５５】
一対のアーム部材２０４同士を横架材２２６で連結することにより、アーム部材２０４の強度が高まる。
【００５６】
なお、この横架材２２６に図３に表されている伸縮構造１１４を採用することで、横架材２２６の長さＥを変えることができるようになる。
【００５７】
図７に表されているように、第一の縦部材２２７には雌ネジ２３０を設け、また、第二の縦部材２２８には雄ねじ２３１が設けることで、この雄ねじ２３１どの程度雌ネジ２３０にねじ込むかで、縦部材２０３の長さＹ’を変えることができるようにされている。
【００５８】
なお、図８に表されているように、アーム部材２０４を縦部材２０３にヒンジ２３２で取付けることにより、このアーム部材２０４を縦部材２０３の方向、即ち、図８のＳ方向に折り畳むことができるようになる。
【００５９】
【発明の効果】
以上のように本発明を構成したので、縦方向に延びる縦部材が邪魔にならず、また、キッチンに備え付けられている棚とキッチンの調理台との間に容易に取り外しをすることができるラックを提供することができる。
【図面の簡単な説明】
【図１】第一の実施形態に係るラック１００の上方斜視図。
【図２】フック１０１の変形例。
【図３】伸縮構造１１４の概略図。
【図４】板材１０６を伸縮自在にした例。
【図５】ラック１００の使用例。
【図６】第二の実施形態に係るラック２００の上方斜視図。
【図７】第一の縦部材２７７と第二の縦部材２２８との取付け構造を表す下方斜視図。
【図８】アーム部材２０４と縦部材２０３との取付例。
【符号の説明】
１００、２００　ラック
１０１　フック
１０２　横部材
１０３、２０３　縦部材
１０４、２０４　アーム部材
１０５、２０５　側方部材
１０６　板材
１０８　突起
１０９　ネジ
１２１　調理台
１２２　棚
１２４　底板
２２６　横架材
２３２　ヒンジ
【図１】
2004049516.tif 000003
【図２】
2004049516.tif 000004
【図３】
2004049516.tif 000005
【図４】
2004049516.tif 000006
【図５】
2004049516.tif 000007
【図６】
2004049516.tif 000008
【図７】
2004049516.tif 000009
【図８】
2004049516.tif 000010